(57)【要約】【課題】マイクロストリップアレーアンテナの指向性特性の向上。【解決手段】列数が少ないマイクロストリップアレーアンテナ１００は、４列のアンテナ素子列を有し、３本の給電ストリップ線路４１、４２及び４３から電力を供給される。放射アンテナ素子５−６１乃至５−６７と放射アンテナ素子５−９１乃至９７は、各々給電ストリップ線路４１及び４３からアンテナの内側に向かって放射端が形成されている。２８個の放射アンテナ素子について同相で電力を供給し、中央の給電ストリップ線路に接続された放射アンテナ素子５−７１乃至７７と５−８１乃至５−８７の個々の放射量を、放射アンテナ素子５−６１乃至６７と５−９１乃至５−９７の個々の放射量の２倍となるようにする。これにより、アンテナの低サイドローブ化を実現できる。【選択図】図１
2007074206.tif 000002
【特許請求の範囲】
【請求項１】
背面に導体の接地板が形成された誘電体基板と、その誘電体基板上に形成されたストリップ導体とから形成されたマイクロストリップアレーアンテナにおいて、
前記ストリップ導体は、
線状に配設された給電ストリップ線路と、前記給電ストリップ線路の両側辺のうち少なくとも一方の側辺に沿って所定間隔で、その側辺から接続配列された複数の短冊形状の放射アンテナ素子とから成る、複数個のサブアレーと、
当該複数個のサブアレーに１個の給電点から給電するための分岐線路とを有し、
前記各サブアレーの給電ストリップ線路の長手方向は互いに平行であって、
外周に位置する２つのサブアレーは、前記給電ストリップ線路の一方のみの側辺に前記放射アンテナ素子が接続されており、
他のサブアレーは、前記給電ストリップ線路の両辺に、前記放射アンテナ素子が順に交互に接続されており、
全ての前記放射アンテナ素子の放射する電界方向が平行であること
を特徴とするマイクロストリップアレーアンテナ。
【請求項２】
前記外周に位置するサブアレーの前記放射アンテナ素子の放射端は、前記放射アンテナ素子の接続された前記給電ストリップ線路からマイクロストリップアレーアンテナの内側に向かって形成されていることを特徴とする請求項１に記載のマイクロストリップアレーアンテナ。
【発明の詳細な説明】
【技術分野】
【０００１】
本発明は、自動車搭載用レーダをはじめとする各種電波センサの送信および受信アンテナに用いることができる誘電体基板を用いた平面アレーアンテナに関する。
【背景技術】
【０００２】
近年、大容量高速通信や自動車レーダなどに用いられるミリ波アンテナの開発が進められている。各種ミリ波アンテナのうちマイクロストリップアレーアンテナ（以下、「ＭＳＡＡ」と略記することがある）は、低コスト、薄型化に有利である。
【０００３】
従来、主線路（給電ストリップ線路）に対し左右交互配列のＭＳＡＡは、右側アンテナ素子列と左側アンテナ素子列とで、同じ放射量、同じ放射位相で構成されていたため、アンテナの列数が少ないときには、放射量分布の自由度が少なく、指向性制御が困難であった。
【０００４】
それでも指向性を制御するためには、放射量分布の自由度を大きくするために、アンテナの列数を増やすしかなく、アンテナが大型化されてしまうという欠点があった。
【特許文献１】特開２００１−４４７５２号公報
【発明の開示】
【発明が解決しようとする課題】
【０００５】
特許文献１その他のマイクロストリップアレーアンテナにおいては、アレーアンテナの列数が少ないとき、各列に与える放射量および放射位相の自由度が小さいので、実現可能な指向性パターンに制限が生じてしまうという問題がある。即ち、各アンテナ素子列を構成する放射アンテナ素子の数を多くすれば、給電ストリップ線路方向のビーム幅を容易に絞ることができ、アンテナ素子列の列数を多くすれば、給電ストリップ線路と垂直方向のビーム幅を容易に絞ることができる。すると、アンテナ素子列の列数が２又は３の場合は、給電ストリップ線路と垂直方向のビーム幅が広いマイクロストリップアレーアンテナ（平面アンテナ）となる。
【０００６】
上記の問題点は具体的には次の通りである。特許文献１の図１の構成をサブアレーとし、たとえば、給電点から２分岐された２つのサブアレーから成るＭＳＡＡについて考える。
【０００７】
第１の問題点として、各々のサブアレーが、給電ストリップ線路の両側に接続されたアンテナ素子列のいずれもが実質的に対称な放射電界を持つ、即ち対称サブアレーであるとすると、給電ストリップ線路の長手方向と直交する方向（給電ストリップ線路を鉛直に配置した場合、水平面内）の指向性パターンにおけるサイドローブレベルが大きい（たとえば−１１ｄＢ程度）といった問題があった。
【０００８】
この問題点が発生する技術的理由としては、給電ストリップ線路を中心としてその両側に配置されたアンテナ素子列の放射振幅レベルが等しいことを前提としてサブアレーを設計することが通常であるためである。このため、給電ストリップ線路の長手方向と直交する面内の振幅分布は２つのサブアレーの合計４つのアンテナ素子列により「一様」の振幅分布が形成され、サイドローブを低減するのに効果がある、中央で高く外側で低い「テーパー様」の振幅分布を実現できなかったためである。
【０００９】
第２の問題点として、２つのサブアレーから成るマイクロストリップアレーアンテナにおいて、給電ストリップ線路の長手方向と直交する面内の指向性パターンにおける主ビームの方向を、平面アンテナの法線方向から上記面内で傾けようとした場合、正面ビームの場合に存在していたサイドローブレベル（たとえば−１１ｄＢ）が著しく増大する（例えば−２〜−３ｄＢとなる）問題があった。
【００１０】
その問題点が発生する技術的理由も、給電ストリップ線路を中心としてその両側に配置されたアンテナ素子列の放射位相が等しいことを前提としてサブアレーを設計することが通常であるためである。このため、給電ストリップ線路が２本の場合、分岐点の位置による２つの給電ストリップ線路間の位相差（正確には、２つのサブアレーの各々最も分岐点に近い放射アンテナ素子と、分岐点までの伝送距離）のみで制御され、水平方向の位相分布は一部階段状となり「一定勾配分布」を実現できなかったためである。
【００１１】
本発明は上記課題を解決するために成されたものであり、その目的は、マイクロストリップアレーアンテナにおいて、給電ストリップ線路の長手方向の垂直方向に対するサイドローブを、簡易な構成で低減することである。
【課題を解決するための手段】
【００１２】
上記の課題を解決するため、請求項１に記載の手段は、背面に導体の接地板が形成された誘電体基板と、その誘電体基板上に形成されたストリップ導体とから形成されたマイクロストリップアレーアンテナにおいて、ストリップ導体は、線状に配設された給電ストリップ線路と、給電ストリップ線路の両側辺のうち少なくとも一方の側辺に沿って所定間隔で、その側辺から接続配列された複数の短冊形状の放射アンテナ素子とから成る、複数個のサブアレーと、当該複数個のサブアレーに１個の給電点から給電するための分岐線路とを有し、各サブアレーの給電ストリップ線路の長手方向は互いに平行であって、外周に位置する２つのサブアレーは、給電ストリップ線路の一方のみの側辺に放射アンテナ素子が接続されており、他のサブアレーは、給電ストリップ線路の両辺に、放射アンテナ素子が順に交互に接続されており、全ての放射アンテナ素子の放射する電界方向が平行であることを特徴とする。
【００１３】
また、請求項２に記載の手段は、外周に位置するサブアレーの放射アンテナ素子の放射端は、放射アンテナ素子の接続された給電ストリップ線路からマイクロストリップアレーアンテナの内側に向かって形成されていることを特徴とする。
【発明の効果】
【００１４】
給電ストリップ線路の長手方向の垂直方向の振幅分布あるいは位相分布の与え方の自由度は、給電線路の本数で制限されている。本発明によれば、放射アンテナ素子の全体の数は同じとしながら、給電線路の本数を増すことができ、振幅分布および位相分布を独立に制御できる自由度が向上する。これを利用し、（１）主ビームが正面（平面アンテナの法線方向）の場合、振幅分布を山形（テーパー様）の分布とすることで、サイドローブが低減でき、また、（２）主ビームを傾けた場合、位相分布を一定勾配の直線分布に近づけることで、サイドローブが低減できる。
【００１５】
このように本発明によれば、従来技術に比べサイドローブが低減できる。その効果は、（１）主ビームが正面の場合（振幅分布のテーパー化）のみならず、（２）主ビームが傾けられた場合（位相分布の直線化）も得られる。
【発明を実施するための最良の形態】
【００１６】
以下、図面を参照しながら本発明の具体例について説明する。尚、各図は本発明の特徴部分の概略を示しているに留まり、接続点の位置、各放射アンテナ素子の幅等は適宜周知の設計事例に基づいて設計されるべきものである。
【実施例１】
【００１７】
図１．Ａは本発明の具体的な実施例に係るマイクロストリップアレーアンテナ１００の構成を示す平面図である。また、図１．Ｂはその側面図である。一方図２．Ａは従来構造のマイクロストリップアレーアンテナ９００の構成を示す平面図であり、図２．Ｂはその側面図である。
【００１８】
図１の本発明に係るマイクロストリップアレーアンテナ１００は、誘電体基板１の表面に、ストリップ導体２が形成され、裏面に導体から成る接地板３が形成されている。ストリップ導体２は、給電点２０を有する３分岐の分岐線路４０、分岐線路４０に接続された給電ストリップ線路４１、４２及び４３、合計２８個の放射アンテナ素子から成る。放射アンテナ素子５−６１乃至５−６７は給電ストリップ線路４１に接続されている。放射アンテナ素子５−７１乃至５−７７並びに５−８１乃至５−８７は給電ストリップ線路４２に接続されている。放射アンテナ素子５−９１乃至５−９７は給電ストリップ線路４３に接続されている。２８個の放射アンテナ素子は短冊状（矩形状）であり、給電ストリップ線路４１、４２及び４３に直接接続されている。尚、放射アンテナ素子５−ｉｊについて、ｉ毎に括って「アンテナ素子列ｉ」と呼ぶ。
【００１９】
詳細には、３分岐の分岐線路４０に対し、中央に給電ストリップ線路４２が接続され、分岐線路４０の両端に給電ストリップ線路４１及び４３が接続されている。線状の給電ストリップ線路４１、４２及び４３は互いに平行である。給電ストリップ線路４１に接続された放射アンテナ素子５−６１乃至６７は、その放射端が給電ストリップ線路４２の側に向いている。給電ストリップ線路４２に接続された放射アンテナ素子５−７１乃至７７は、その放射端が給電ストリップ線路４１の側に向いており、放射アンテナ素子５−８１乃至８７は、その放射端が給電ストリップ線路４３の側に向いている。給電ストリップ線路４３に接続された放射アンテナ素子５−９１乃至９７は、その放射端が給電ストリップ線路４２の側に向いている。給電ストリップ線路４１と放射アンテナ素子５−６１乃至６７がサブアレーＳＡ１を構成し、給電ストリップ線路４２と放射アンテナ素子５−７１乃至７７並びに５−８１乃至８７がサブアレーＳＡ２を構成し、給電ストリップ線路４３と放射アンテナ素子５−９１乃至９７がサブアレーＳＡ３を構成している。
【００２０】
図１のマイクロストリップアレーアンテナ１００においては、給電ストリップ線路４１、４２及び４３の長手方向が平行であり、当該方向と、各々が短冊形状（矩形形状）の放射アンテナ素子５−６１乃至６７、５−７１乃至７７、５−８１乃至８７並びに５−９１乃至９７の長手方向（放射される電界の方向）とが垂直である。尚、放射アンテナ素子５−６１乃至６７、５−７１乃至７７、５−８１乃至８７並びに５−９１乃至９７の長手方向（放射される電界の方向）が全て平行であれば、それらと給電ストリップ線路４１、４２及び４３の長手方向との成す角に関係なく、本発明は適用できる。
【００２１】
３分岐の分岐線路４０は、次のように給電ストリップ線路４１、４２及び４３に電力を分配する。即ち、３分岐の分岐線路４０は、給電点２０から入力された電力を、７個の放射アンテナ素子が接続された給電ストリップ線路４１及び４３にそれぞれ１／６、１４個の放射アンテナ素子が接続された給電ストリップ線路４２に２／３を供給する。各サブアレーにおいては全ての放射アンテナ素子から同一の電力が放射されるように設計されており、結局、１４個の放射アンテナ素子５−６１乃至５−６７及び５−９１乃至９７からの個々の放射量に対し、１４個の放射アンテナ素子５−７１乃至５−７７及び５−８１乃至８７からの個々の放射量は２倍となるように設計されている。尚、各放射アンテナ素子と給電ストリップ線路との結合量が、各短冊形状の幅として設計され得ることは周知のことである。図１では、「概略を説明するため」、例えばアンテナ素放射アンテナ素子５−６１乃至６７が、本来当該幅の異なる短冊形状とすべき所、単に「同一幅」で示している。即ち、図１は、同じ給電ストリップ線路に接続された各放射アンテナ素子の放射される電界が全て等しいことを示しているに留まり、「全ての放射アンテナ素子の幾何学的形状が一致すること」を意味するものではない。
【００２２】
３分岐の分岐線路４０は、２８個の全ての放射アンテナ素子から位相の揃った電磁波が放射されるように、給電ストリップ線路４１、４２及び４３に電力を供給する。即ち、給電点２０からそれに最も近い給電ストリップ線路４２に接続された放射アンテナ素子５−７１までの伝送距離に対し、給電点２０から給電ストリップ線路４２に接続された放射アンテナ素子５−８１までの伝送距離は、用いる高周波のストリップ導体内の管内波長λの１／２倍を加えたものである。また、給電点２０からそれに最も近い給電ストリップ線路４１に接続された放射アンテナ素子５−６１までの伝送距離は、給電点２０から給電ストリップ線路４２に接続された放射アンテナ素子５−８１までの伝送距離に管内波長λの整数倍を加えたもの、給電点２０からそれに最も近い給電ストリップ線路４３に接続された放射アンテナ素子５−９１までの伝送距離は、給電点２０から給電ストリップ線路４２に接続された放射アンテナ素子５−７１までの伝送距離に管内波長λの整数倍を加えたものである。以下、各アンテナ素子列（ｉ＝６〜９）における隣り合う放射アンテナ素子５−ｉｊ（ｊ＝１〜６）及び放射アンテナ素子５−ｉ（ｊ＋１）は、給電点２０からの伝送距離が管内波長λずつ異なるようにした。本実施例は２つのサブアレーＳＡ１及びＳＡ３と、対称なサブアレーＳＡ２及び分岐線路４０のみから構成されており、アンテナ素子列の数の面からは、請求項１及び２に係る発明の最も簡単な構成である。
【００２３】
図２の従来のマイクロストリップアレーアンテナ９００は比較のために示されるものであり、次のような構成である。２分岐の分岐線路９０と各々１４個の放射アンテナ素子が接続された給電ストリップ線路９１及び９２からなる。放射アンテナ素子９５−６１乃至６７及び９５−７１乃至７７と給電ストリップ線路９１をサブアレーＳＡ９１と称し、放射アンテナ素子９５−８１乃至８７及び９５−９１乃至９７と給電ストリップ線路９２をサブアレーＳＡ９２と称する。図２のマイクロストリップアレーアンテナ９００の２８個の放射アンテナ素子は、全て同じ放射量、同じ放射位相となるように設計されている。図２でも、「概略を説明するため」、例えばアンテナ素放射アンテナ素子５９−６１乃至６７が、本来幅の異なる短冊形状とすべき所、単に「同一幅」で示している。図２は、各放射アンテナ素子の放射される電界が全て等しいことを示しているに留まり、「全ての放射アンテナ素子の幾何学的形状が一致すること」を意味するものではない。
【００２４】
本発明に係る図１のマイクロストリップアレーアンテナ１００と、従来構造の図２のマイクロストリップアレーアンテナ９００の、各アンテナ素子列の相対放射電界強度を図３に示す。尚各列の放射端同士の間隔を同一とした。ここでは一例として放射端間隔が同一の場合を示したが、このことが本件発明の効果を得るための必要条件ではない。実際の設計作業においては、所望の指向性パターンに、より近づけるための放射端間隔、或いはのちに〔他の効果〕の欄で述べるようなアンテナ開口効率を高めるための放射端間隔を設計要件に照らし合わせて選択するのが良い。従来構造の図２のマイクロストリップアレーアンテナ９００は各放射アンテナ素子の放射強度は図３で黒三角で示した通り一様分布である。一方本発明に係る図１のマイクロストリップアレーアンテナ１００は、図３で白抜き丸で示した通りの分布を与える。白抜き丸で示した分布は、給電ストリップ線路４１乃至４３を鉛直方向に配置した場合に水平面内の指向性パターンのサイドローブ低減に効果がある「テーパー分布」としたものである。尚、各放射端の間隔を１．７ｍｍとした。
【００２５】
本発明に係る図１のマイクロストリップアレーアンテナ１００と、従来構造の図２のマイクロストリップアレーアンテナ９００の、指向性パターンを図４に示す。平面アンテナであるマイクロストリップアレーアンテナの法線方向を０ｄｅｇとして、当該０ｄｅｇ方向の主ビームに対し、±６０ｄｅｇ付近に各々ピークを有する２つのサイドローブが存在する。従来構造のマイクロストリップアレーアンテナ９００のサイドローブレベルは−１１．３ｄＢであるのに対し、提案構造のマイクロストリップアレーアンテナ１００では、サイドローブレベルが−２３．９ｄＢまで低減できていることがわかる。即ち、図１のマイクロストリップアレーアンテナ１００は図２のマイクロストリップアレーアンテナ９００に比較して、給電ストリップ線路の長手方向に垂直な面内の指向性について、サイドローブを１２ｄＢ以上低減できる。
【００２６】
尚、別途１４個の放射アンテナ素子５−６１乃至５−６７（アンテナ素子列６）及び５−９１乃至９７（アンテナ素子列９）からの個々の放射量に対する、１４個の放射アンテナ素子５−７１乃至５−７７（アンテナ素子列７）及び５−８１乃至８７（アンテナ素子列８）からの個々の放射量が大きいほどサイドローブの低減が顕著となる。本実施例は、給電ストリップ線路が少ない、特に３本の場合に顕著となる。ただし、アンテナ素子列６とアンテナ素子列９の放射量が余り小さくなると、ビーム幅が太くなる傾向が強いため、所望のビーム幅に関する設計要件とサイドローブ低減に関する設計要件の両者を鑑みて放射量分布を選択するのが良い。
【００２７】
尚、実際の放射素子配列の設計における次のような注意事項が存在する。即ち、放射アンテナ素子が一部給電ストリップ線路に直接結合されたＭＳＡＡの場合、給電ストリップ線路の両側に放射アンテナ素子を配した場合の放射アンテナ素子間隔と、給電ストリップ線路の片側のみに放射アンテナ素子を配した場合の放射アンテナ素子間隔は違える必要がある。給電ストリップ線路に放射アンテナ素子が接続されることにより、給電ストリップ線路を伝搬する電波の位相回転量が変動するためである。通常、放射アンテナ素子が配設されることで、給電ストリップ線路を伝搬する電波の位相は進む。したがって、片側にしか放射アンテナ素子が配設されない場合は、両側にある場合に比べて位相は遅れる。それを補うために素子間隔は縮める必要がある。そうすることで、片側のみに配置された放射素子群の中での位相が揃えられ、両側配置された他の放射素子群との位相も揃う。このように給電線路に放射アンテナが配設されることで、給電ストリップ線路を伝搬する電波の位相の摂動量（素子幅依存性）を事前に正確に把握しておきさえすれば、片側配置の放射素子群と両側配置の放射素子群を混在したＭＳＡＡでの位相補償が良好に行われ、所望の位相分布が実現される。
【００２８】
図１において、最外周に位置する放射アンテナ素子５−６１乃至５−６７並びに５−９１乃至９７は、アンテナ全体に対して、その放射端が内側に向いている。しかしそれらの放射端が外向きになっていても，放射振幅分布の自由度向上の作用・効果を得ることができる。
【実施例２】
【００２９】
主ビームを平面アンテナの法線方向から傾ける場合、図５のようなマイクロストリップアレーアンテナ２００を構成すると良い。図５のマイクロストリップアレーアンテナ２００は、図１のマイクロストリップアレーアンテナ１００の給電点２０を有する３分岐の分岐線路４０を、３分岐の分岐線路４４に置き換えたものであり、その他の構成は同一である。即ち誘電体基板１の表面に、ストリップ導体２２が形成され、裏面に導体から成る接地板３が形成されている。ストリップ導体２２は、給電点２０を有する３分岐の分岐線路４４、給電ストリップ線路４１、４２及び４３、合計２８個の放射アンテナ素子５−６１乃至５−６７、５−７１乃至５−７７、５−８１乃至５−８７並びに５−９１乃至５−９７から成る。給電ストリップ線路４１と放射アンテナ素子５−６１乃至６７がサブアレーＳＡ１を構成し、給電ストリップ線路４２と放射アンテナ素子５−７１乃至７７並びに５−８１乃至８７がサブアレーＳＡ２を構成し、給電ストリップ線路４３と放射アンテナ素子５−９１乃至９７がサブアレーＳＡ３を構成している。
【００３０】
図５のマイクロストリップアレーアンテナ２００の分岐線路４４は、図１のマイクロストリップアレーアンテナ１００の分岐線路４０と次の点で異なる。即ち、図５のマイクロストリップアレーアンテナ２００の分岐線路４４は、サブアレーＳＡ１に対して給電点からの距離が図１のマイクロストリップアレーアンテナ１００の分岐線路４０より長く、サブアレーＳＡ３に対して給電点からの距離が図１のマイクロストリップアレーアンテナ１００の分岐線路４０より短い。これにより、サブアレーＳＡ２の放射アンテナ素子５−７１乃至５−７７並びに５−８１乃至５−８７は全て同位相で電磁波を放射するが、サブアレー１の放射アンテナ素子５−６１乃至５−６７はそれよりも位相が遅れ、サブアレーＳＡ３の放射アンテナ素子５−９１乃至５−９７の位相はそれよりも進む。
【００３１】
このように設計された図５のマイクロストリップアレーアンテナ２００の各アンテナ素子列の相対放射位相を図６に白抜き丸で示す。尚、各列の放射端同士の間隔は同一で、その間隔は１．７ｍｍとした。ここでは、一例として、放射端間隔が同一の場合を示したが、このことが本件発明の効果を得るための必要条件ではない。実際の設計作業においては、所望の指向性パターンにより近づけるための放射端間隔、或いは、〔他の効果〕の欄で述べるようなアンテナ開口効率を高めるための放射端間隔を設計要件に照らし合わせて選択するのが良い。サブアレーＳＡ２の放射アンテナ素子５−７１乃至５−７７（アンテナ素子列７）並びに５−８１乃至５−８７（アンテナ素子列８）の位相を０度とすると、サブアレーＳＡ１の放射アンテナ素子５−６１乃至５−６７（アンテナ素子列６）の位相は−８９度、サブアレーＳＡ３の放射アンテナ素子５−９１乃至５−９７（アンテナ素子列９）の位相は＋８９度とした。これにより、平面アンテナの法線方向から、サブアレーＳＡ３側に２０度傾いた主ビームを形成することができる。尚、図２のマイクロストリップアレーアンテナ９００の２分岐の分岐線路９０を置き換えた場合の設計についても図６に黒三角で示した。２分岐の分岐線路を置き換えてサブアレーＳＡ９１とサブアレーＳＡ９２とで相対放射位相を１３４．８度異ならせることで達成できる。
【００３２】
図６で白抜き丸で示した本実施例と、黒三角で示した２分岐の比較例について、給電ストリップ線路の長手方向に垂直な面内での指向性パターンを図７に示す。本実施例、比較例共に主ビームの傾きを２０度と実現できる。このとき、傾けた方向とは反対側の−３０度付近にサイドローブが存在している。サイドローブのレベルは、比較例において−２．４ｄＢであるが、本実施例によれば−２１．８ｄＢとなり、１９．４ｄＢの改善量が得られる。即ち、サブアレー内で放射位相の揃ったマイクロストリップアレーアンテナで、サブアレー間で放射位相を異なるようにする場合、従来の全てのサブアレーが両側に放射アンテナ素子を有するものに対し、本実施例の最外周のサブアレーが一方のみに放射アンテナ素子を有するものは、サイドローブを低減できる。
【００３３】
〔他の効果〕
本発明の有効性について、アンテナの面積の観点から述べる。図８は、４つのアンテナ素子列を配置する際に、隣接するアンテナ素子列とのカップリング又は給電ストリップ線路とのカップリングを避けるために必要な間隔を示すものである。
【００３４】
図８．Ａは、全てのアンテナ素子列に給電ストリップ線路を配置させるもので、各アンテナ素子列の放射端は隣の給電ストリップ線路とのカップリングを避けるための最低距離αを確保する必要がある。この場合、アンテナ面積には幅３αの無駄な面積が存在する。図８．Ｂは、最外周のアンテナ素子列にそれぞれ給電ストリップ線路を配置させ、２つのアンテナ素子列は１本の給電ストリップ線路に接続させるものである。この時、最外周のアンテナ素子列が給電ストリップ線路からアンテナ外周に向けて形成された場合を示している。この場合、アンテナ面積には幅２αの無駄な面積が存在する。図８．Ｂは本願の請求項２を除く請求項１に係る発明にあたる。図８．Ｃは、最外周のアンテナ素子列にそれぞれ給電ストリップ線路を配置させ、２つのアンテナ素子列は１本の給電ストリップ線路に接続させ、最外周のアンテナ素子列が給電ストリップ線路からアンテナ内側に向けて形成された場合を示している。この場合、向き合うアンテナ素子列の放射端のカップリングを避けるための最低距離βを確保する必要がある。この場合、アンテナ面積には幅２βの無駄な面積が存在する。図８．Ｃは本願の請求項２に係る発明にあたる。図８．Ｄは、給電ストリップ線路を２本として各々２つのアンテナ素子列を接続させたものである。この場合、アンテナ面積には幅βの無駄な面積が存在する。
【００３５】
通常、αはβより大きい。これは互いに向き合う放射アンテナ素子の放射端が真正面に対向しておらず、「上下方向にズレ」るように設計されるためである。アンテナ面積の効率の点からは図８．Ｄが最も良く、図８．Ｃ（本願の請求項２）、図８．Ｂ（本願の請求項２以外）、図８．Ａの順に面積効率が悪くなる。しかし、図８．Ｄよりも図８．Ｃの方がサイドローブ低減の点から好ましいことは上述の通りである。さらに、アレーアンテナの最外周は、裏面の接地板の影響が少なからずあり、放射アンテナ素子の放射端を誘電体基板の外周に近づけないことが望ましい。この観点からすれば，図８．Ａ、図８．Ｂ、図８．Ｄのいずれもが、最外周に配置された放射アンテナ素子の放射端が誘電体基板の外周に向いており、唯一、図８．Ｃ（本願の請求項２）のみが誘電体基板の外周から放射端までの間隙を十分確保できる構成であることがわかる。尚、図４、図７はいわゆるエレメントファクタを除いた、アレーファクタのみによる指向性パターン図である。
【００３６】
以上の全ての実施例において、各放射アンテナ素子は、給電ストリップ線路の長手方向の垂直方向から傾いていても良い。その場合、特許文献１に記載されたように、各放射アンテナ素子を矩形形状とした上、その１頂点のみで接続する、或いは微小なギャップを設けて電磁的に結合させる構成としても良い。
【産業上の利用可能性】
【００３７】
自動車用などの近距離センサやデジタル信号処理による指向性形成（DBF）のサブアレー用等、小型のアレーアンテナが必要な用途に要求される様々な放射特性（低サイドローブ、主放射（メインビーム）方向の制御）を有するアンテナを実現可能である。
【図面の簡単な説明】
【００３８】
【図１】本発明の具体的な第１の実施例に係るマイクロストリップアレーアンテナ１００の構成を示す平面図（１．Ａ）及び側面図（１．Ｂ）。
【図２】従来構造のマイクロストリップアレーアンテナ９００の構成を示す平面図（２．Ａ）及び側面図（２．Ｂ）。
【図３】マイクロストリップアレーアンテナ１００とマイクロストリップアレーアンテナ９００のアンテナ素子列ごとの放射量を示すグラフ図。
【図４】第１実施例のマイクロストリップアレーアンテナ１００の指向性パターンを、マイクロストリップアレーアンテナ９００の指向性パターンと比較して示したグラフ図。
【図５】本発明の具体的な第２の実施例に係るマイクロストリップアレーアンテナ１００の構成を示す平面図（５．Ａ）及び側面図（５．Ｂ）。
【図６】マイクロストリップアレーアンテナ２００の各アンテナ素子の相対放射位相を示すグラフ図。
【図７】マイクロストリップアレーアンテナ２００の指向性パターンを、マイクロストリップアレーアンテナ９００の分岐線路を入れ換えたものの指向性パターンと比較して示したグラフ図。
【図８】４つのアンテナ素子列を有するマイクロストリップアレーアンテナの４通りの構成方法を示す平面図。
【符号の説明】
【００３９】
１：誘電体基板
１００、２００：マイクロストリップアレーアンテナ
２、２２：ストリップ導体
２０：給電点
３：導体から成る接地板
４０、４４：分岐線路
４１、４２、４３：給電ストリップ線路
５−ｉｊ、（ｉ＝６〜９、ｊ＝１〜７）：放射アンテナ素子
ＳＡ１、ＳＡ２、ＳＡ３：サブアレー
【図１】
2007074206.tif 000003
【図２】
2007074206.tif 000004
【図３】
2007074206.tif 000005
【図４】
2007074206.tif 000006
【図５】
2007074206.tif 000007
【図６】
2007074206.tif 000008
【図７】
2007074206.tif 000009
【図８】
2007074206.tif 000010